【手続補正書】
【提出日】平成21年7月31日(2009.7.31)
【手続補正１】
【補正対象書類名】明細書
【補正対象項目名】特許請求の範囲
【補正方法】変更
【補正の内容】
【特許請求の範囲】
【請求項１】
第１のチャンネルにおいて放送中の番組を、前記第１のチャンネルから第２のチャンネルでの放送に変更するイベントリレー放送を受信可能な放送受信装置であって、
放送波を受信する受信手段と、
前記受信手段で受信した放送波から、イベントリレーに関する情報と番組の属性情報とを少なくとも含むデータを取得する取得手段と、
視聴者の視聴履歴に関するデータを管理する視聴履歴管理手段と、
視聴中の第１のチャンネルにおいて、イベントリレー放送が発生するか否かを、前記取得手段で取得したイベントリレーに関する情報から判定する判定手段と、
前記判定手段によってイベントリレー放送が発生すると判定された場合に、前記第１のチャンネルにおいて視聴中の番組の次に放送される次番組及び第２のチャンネルでの放送に変更される前記視聴中の番組の夫々の属性情報と、前記視聴履歴に関するデータとに基づいて、前記次番組及び前記第２のチャンネルでの放送に変更される前記視聴中の番組に対する視聴者の嗜好度を判定し、前記嗜好度に応じて、前記次番組と前記視聴中の番組のうち、少なくとも一方の番組映像を表示部に表示する際の画面レイアウトを決定する制御手段と、
を有することを特徴とする放送受信装置。
【請求項２】
前記制御手段は、前記画面レイアウトについて複数のパターンを決定し、イベントリレーによるチャンネルの変更が発生する前に、決定した前記複数のパターンのうち、任意のパターンを視聴者が選択可能なように、前記複数のパターンから１つを選択するための選択画面を表示部に表示することを特徴とする請求項１に記載の放送受信装置。
【請求項３】
前記制御手段は、前記嗜好度に応じて、前記次番組と前記視聴中の番組のうち、少なくとも一方の番組映像を記録部に記録する決定を行うことを特徴とする請求項１に記載の放送受信装置。
【請求項４】  第１のチャンネルにおいて放送中の番組を、前記第１のチャンネルから第２のチャンネルでの放送に変更するイベントリレー放送を受信可能な放送受信装置の制御方法であって、
放送波を受信する受信工程と、
前記受信工程で受信した放送波から、イベントリレーに関する情報と番組の属性情報とを少なくとも含むデータを取得する取得工程と、
視聴者の過去の視聴履歴に関するデータを管理する視聴履歴管理工程と、
視聴中の第１のチャンネルにおいて、イベントリレー放送が発生するか否かを、前記取得工程で取得したイベントリレーに関する情報から判定する判定工程と、
前記判定工程によってイベントリレー放送が発生すると判定された場合に、前記第１のチャンネルにおいて視聴中の番組の次に放送される次番組及び第２のチャンネルでの放送に変更される前記視聴中の番組の夫々の属性情報と、前記視聴履歴管理工程で管理された視聴履歴に関するデータとに基づいて、前記次番組及び前記第２のチャンネルでの放送に変更される前記視聴中の番組に対する視聴者の嗜好度を判定し、前記嗜好度に応じて、前記次番組と前記視聴中の番組のうち、少なくとも一方の番組映像を表示部に表示する際の画面レイアウトを決定する制御工程と、
を有することを特徴とする放送受信装置の制御方法。
【請求項５】
前記制御工程では、前記画面レイアウトについて複数のパターンを決定し、イベントリレーによるチャンネルの変更が発生する前に、決定した前記複数のパターンのうち、任意のパターンを視聴者が選択可能なように、前記複数のパターンから１つを選択するための選択画面を表示部に表示することを特徴とする請求項４に記載の放送受信装置の制御方法。
【請求項６】
前記制御工程では、前記嗜好度に応じて、前記次番組と前記視聴中の番組のうち、少なくとも一方の番組映像を記録部に記録する決定を行うことを特徴とする請求項４に記載の放送受信装置の制御方法。
【手続補正２】
【補正対象書類名】明細書
【補正対象項目名】０００９
【補正方法】変更
【補正の内容】
【０００９】
【課題を解決するための手段】
上記目的を達成するために、本発明の放送受信装置は、第１のチャンネルにおいて放送中の番組を、前記第１のチャンネルから第２のチャンネルでの放送に変更するイベントリレー放送を受信可能な放送受信装置であって、放送波を受信する受信手段と、前記受信手段で受信した放送波から、イベントリレーに関する情報と番組の属性情報とを少なくとも含むデータを取得する取得手段と、視聴者の視聴履歴に関するデータを管理する視聴履歴管理手段と、視聴中の第１のチャンネルにおいて、イベントリレー放送が発生するか否かを、前記取得手段で取得したイベントリレーに関する情報から判定する判定手段と、前記判定手段によってイベントリレー放送が発生すると判定された場合に、前記第１のチャンネルにおいて視聴中の番組の次に放送される次番組及び第２のチャンネルでの放送に変更される前記視聴中の番組の夫々の属性情報と、前記視聴履歴に関するデータとに基づいて、前記次番組及び前記第２のチャンネルでの放送に変更される前記視聴中の番組に対する視聴者の嗜好度を判定し、前記嗜好度に応じて、前記次番組と前記視聴中の番組のうち、少なくとも一方の番組映像を表示部に表示する際の画面レイアウトを決定する制御手段と、を有することを特徴とする。
【手続補正３】
【補正対象書類名】明細書
【補正対象項目名】００１０
【補正方法】変更
【補正の内容】
【００１０】
本発明の放送受信装置の制御方法は、第１のチャンネルにおいて放送中の番組を、前記第１のチャンネルから第２のチャンネルでの放送に変更するイベントリレー放送を受信可能な放送受信装置の制御方法であって、放送波を受信する受信工程と、前記受信工程で受信した放送波から、イベントリレーに関する情報と番組の属性情報とを少なくとも含むデータを取得する取得工程と、視聴者の過去の視聴履歴に関するデータを管理する視聴履歴管理工程と、視聴中の第１のチャンネルにおいて、イベントリレー放送が発生するか否かを、前記取得工程で取得したイベントリレーに関する情報から判定する判定工程と、前記判定工程によってイベントリレー放送が発生すると判定された場合に、前記第１のチャンネルにおいて視聴中の番組の次に放送される次番組及び第２のチャンネルでの放送に変更される前記視聴中の番組の夫々の属性情報と、前記視聴履歴管理工程で管理された視聴履歴に関するデータとに基づいて、前記次番組及び前記第２のチャンネルでの放送に変更される前記視聴中の番組に対する視聴者の嗜好度を判定し、前記嗜好度に応じて、前記次番組と前記視聴中の番組のうち、少なくとも一方の番組映像を表示部に表示する際の画面レイアウトを決定する制御工程と、を有することを特徴とする。
【手続補正４】
【補正対象書類名】明細書
【補正対象項目名】００１７
【補正方法】変更
【補正の内容】
【００１７】
チューナ１０２、１０３は、それぞれケーブルを介してアンテナ１０１に接続され、アンテナ１０１が受信したデジタルＴＶ放送の中から所定の周波数の電波を選択的に受信する。（ここで、アンテナ１０１、チューナ１０２及び１０３は請求項１に記載の受信手段に相当する。）復調部１０４、１０５はそれぞれに接続されているチューナ１０２、１０３からの信号を入力し、復調、エラー訂正等の処理を行い、トランスポートストリーム（以下、ＴＳという）を生成し、ＴＳデコーダ１０６、１０７に送出する。
【手続補正５】
【補正対象書類名】明細書
【補正対象項目名】００２６
【補正方法】変更
【補正の内容】
【００２６】
セクションデコーダ１１０は、ＥＩＴａ＿ｐｆ情報に記述される記述子情報をデコードし、ＣＰＵ１２０に送出する。ＣＰＵ１２０内の属性検出部１２１は、記述子のデコード内容から各番組の属性データである番組名称、番組のジャンル情報、番組の出演者名称情報を抽出し、視聴履歴管理テーブルを作成する。（ここで、属性データは請求項１に記載の属性情報に相当し、視聴履歴管理テーブルは請求項１に記載の視聴履歴に関するデータに相当する。）
図２および図３は視聴履歴管理テーブルを示す図である。視聴履歴管理テーブルにはインデックスが付けられており、ＩＮＤＥＸ１、ＩＮＤＥＸ２、ＩＮＤＥＸ３（各々０〜２５５）はそれぞれ番組名称（ｅｖｅｎｔ＿ｎａｍｅ）、番組ジャンル（ｅｖｅｎｔ＿ｇｅｎｒｅ）、番組出演者名称（ｅｖｅｎｔ＿ｐｅｒｆｏｒｍｅｒ）に対するインデックスである。視聴履歴管理テーブルでは、番組名称（ｅｖｅｎｔ＿ｎａｍｅ）、番組ジャンル（ｅｖｅｎｔ＿ｇｅｎｒｅ）、番組出演者名称（ｅｖｅｎｔ＿ｐｅｒｆｏｒｍｅｒ）の他、カウント数（ｃｏｕｎｔ＿ｖａｌｕｅ）、日付情報（ｌａｓｔ＿ｃｏｕｎｔ＿ｄａｔｅ）を登録することが可能である。
【手続補正６】
【補正対象書類名】明細書
【補正対象項目名】００３８
【補正方法】変更
【補正の内容】
【００３８】
以上示したように構成される視聴履歴管理テーブルは、メモリ１１８内の履歴データ記憶部１１９に記憶される。
尚、上記実施形態では、視聴履歴管理テーブルは、視聴者が３分以上視聴した番組に含まれる属性情報だけを登録し、１ヶ月間（３０日間）、カウント値ｃｏｕｎｔ＿ｖａｌｕｅのカウントアップが行われなかったインデックスに登録されているｅｖｅｎｔ＿ｎａｍｅ、ｅｖｅｎｔ＿ｇｅｎｒｅ、ｅｖｅｎｔ＿ｐｅｒｆｏｒｍｅｒ情報は削除（上書き）される構成となっているが、３分、１ヶ月間（３０日間）の各パラメータはこの値に限られるものではなく、１分、５分、１週間あるいは３ヶ月間であってもよい。
【手続補正７】
【補正対象書類名】明細書
【補正対象項目名】００３９
【補正方法】変更
【補正の内容】
【００３９】
つぎに、イベントリレーが行われる場合の受信機の制御動作を示す。図５はイベントリレーが行われる場合のイベントリレー実施後の画面レイアウト及び音声出力モードの決定を行うための受信機の制御処理手順を示すフローチャートである。この処理プログラムは、メモリ１１８に格納されており、ＣＰＵ１２０によって実行される。
ここで、図５に示すフローチャートの動作は、電源ＯＮ時、チャンネル切換え時、及び放送番組変更時（放送番組終了後、次番組の放送が開始される時）に実行され、後述の如く決定された画面レイアウト情報及び音声出力モード情報はメモリ１１８に記憶される。
【手続補正８】
【補正対象書類名】明細書
【補正対象項目名】００５７
【補正方法】変更
【補正の内容】
【００５７】
この嗜好性の判断結果、各ＥＩＴセクション情報中に含まれていたコンポーネント記述子情報、及び音声コンポーネント記述子情報に基づいて画面のレイアウトおよび音声出力モードを決定し（ステップＳ２９）、決定した画面レイアウトおよび音声出力モードの情報をメモリ１１８に記憶し、処理を終了する。
図８はステップＳ２８における嗜好性判断処理手順を示すフローチャートである。前述したステップＳ４３、Ｓ４６の処理におけるカウンタ値および日付情報が保存されていないか否かを判別する（ステップＳ５１）。
【手続補正９】
【補正対象書類名】明細書
【補正対象項目名】００６５
【補正方法】変更
【補正の内容】
【００６５】
このように、ＣＰＵ１２０はイベントリレー実施後の画面レイアウト情報及び音声出力モード情報を決定してメモリ１１８に出力する。更に、ＣＰＵ１２０は、イベントリレーの実施に応じてメモリ１１８より画面レイアウト情報及び音声出力モード情報を読み出し、夫々画面制御部１１１及び音声制御部１１２に出力する。（画面制御部１１１は、入力された画面レイアウト情報に従って各番組（若しくは嗜好性の高い番組）の映像データ及びＵＩ画面を図９〜１４に示すように表示画面１１４に出力し、音声制御部１１２は、入力された音声出力モードに従って各番組（若しくは嗜好性の高い番組）の音声データをＤＡＣを介してスピーカ１１５若しくはヘッドホン１１６に出力する。ここで、ＣＰＵ１２０及び画面制御部１１１は請求項１に記載の制御手段に相当する。）
ここで、図９乃至図１３に、前述の如く決定された画面レイアウトの例を示す。